(57)【特許請求の範囲】
【請求項１】
長手方向を左右方向とし短手方向を上下方向及び前後方向として配置可能な略直方体形状の筐体；前記略直方体形状の前記筐体の上面に前記左右方向に沿って開口し、被印刷用紙を前記筐体の内部に導入する導入口；前記導入口から導入された前記被印刷用紙を搬送するローラ；前記ローラにより搬送される前記被印刷用紙に対し所望の印刷を行う印字ヘッド；前記略直方体形状の前記筐体の前方側側面に前記左右方向に沿って開口し、前記印字ヘッドによる印刷後の前記被印刷用紙を前記筐体の外部へと排出する排出口；を有する印刷装置に対し、装着可能な、給紙ガイド体であって、
前記装着時において、前記略直方体形状の前記筐体の左右両端部を上方から覆うように保持する左・右保持部と、
前記左・右保持部に接続して設けられ、受け入れた前記被印刷用紙の左・右両端部を案内しつつ前記導入口へと導く用紙ガイド部と、
前記用紙ガイド部の後方において左右方向に延設され、前記左・右保持部を連結する後方連結部と、
前記装着時において、前記左・右保持部の間に位置し、前記排出口を露出させる前方開口部と、
前記前方開口部の下方において左右方向に延設され、前記左・右保持部を連結する前方連結部と、
前記装着時において、前記前方連結部から後方側へ向かって突出して設けられ、前記略直方体形状の前記筐体の下面に対し下方から覆うようにして接する下保持部と、
を有し、
前記下保持部は、
前記後方側へ向かって上下方向厚さ寸法が小さくなる先細り形状を備えており、
当該給紙ガイド体が装着された状態の前記印刷装置が設置された状態では、
前記装着時において、前記印刷装置の前端側に位置する厚肉の前記下保持部と、前記印刷装置の後端側に設けられたゴム足部とが、設置面に接触する
ことを特徴とする給紙ガイド体。
【請求項２】
請求項１記載の給紙ガイド体において、
前記用紙ガイド部は、
開き状態と閉じ状態との間で開閉するように、前記左・右保持部に対し回動可能に支持されるとともに、
前記装着時における前記開き状態では、前記排出口を覆うように前記印刷装置の前記筐体の前方側上部に開閉可能に備えられたカバー部材の当該開閉を可能とするように、前記前方開口部の上部後方側に連続する上方開口部を形成し、
前記装着時における前記閉じ状態では、前記上方開口部を閉鎖する
ことを特徴とする給紙ガイド体。
【請求項３】
請求項２記載の給紙ガイド体において、
前記印刷装置の前記略直方体形状の筐体に備えられた、前記ローラ及び前記印字ヘッドを駆動するためのバッテリを後方側から収納可能なバッテリ収納室を、外部へ臨ませるための後方開口部を有する
ことを特徴とする給紙ガイド体。
【請求項４】
請求項３記載の給紙ガイド体において、
前記右保持部には、
前記後方開口部側から側方に略Ｌ字状に切除された切欠部が形成されており、
当該給紙ガイド体が装着された状態の前記印刷装置は、前記切欠部より、前記印刷装置が有するＵＳＢインターフェースが露出する
ことを特徴とする給紙ガイド体。
【請求項５】
請求項２乃至請求項４のいずれか１項記載の給紙ガイド体において、
前記左・右保持部の少なくとも一方は、前記装着時において前記筐体の上部に設けられた操作キーの上部に位置し、弾性変形により当該操作キーを押圧操作可能な押圧操作部を有する
ことを特徴とする給紙ガイド体。
【請求項６】
請求項２乃至請求項５のいずれか１項記載の給紙ガイド体において、
前記用紙ガイド部は、
前記被印刷用紙の左・右両端部の上方で左右方向の内側に向かって突出するとともにその突出形状の下方に当該被印刷用紙を挿通する空間を形成する、左・右爪部を備える
ことを特徴とする給紙ガイド体。
【発明の詳細な説明】
【技術分野】
【０００１】
本発明は、被印刷用紙に所望の印刷を行う印刷装置に装着される、給紙ガイド体に関する。
【背景技術】
【０００２】
被印刷用紙に所望の印刷を行う小型の印刷装置が知られている（例えば、特許文献１参照）。この印刷装置では、直方体形状の筐体の上部に設けた導入口から被印刷用紙が導入されると、その導入されたた被印刷用紙をプラテンローラが搬送し、その搬送される被印刷用紙に対し印字手段（サーマルラインヘッド）が所望の印刷を行う。印刷後の被印刷用紙は、筐体の前方側側面に設けた排出口から排出される。
【先行技術文献】
【特許文献】
【０００３】
【特許文献１】特開平７−３０９０４１号公報
【発明の概要】
【発明が解決しようとする課題】
【０００４】
上記従来技術において、印刷時には操作者が上部の導入口へ被印刷用紙を投入しなければならない。容易な投入を可能とするための給紙ガイドを設ける場合に、給紙ガイドを印刷装置に固定的に設けると全体構造が大型化する。したがって、印刷装置とは別体で印刷装置に着脱可能な給紙ガイドを用意しておき、必要に応じて操作者が印刷装置に装着するようにすれば便利である。
【０００５】
このとき、上記印刷装置は操作者によって各所へ持ち運ばれ用いられる場合が多いことから、給紙ガイドは、比較的大きな剛性を備えると共に、安定的に印刷装置を保持することが望ましい。そこで、例えば給紙ガイドの構造を、直方体形状の印刷装置の筐体をすっぽり覆うような態様とすることが考えられる。しかしながら、このような構造では、上記のような筐体上部に設けられた導入口からの被印刷用紙の円滑な導入や、筐体前方側に設けられた排出口からの印刷終了後の被印刷用紙の円滑な排出が、阻害される可能性がある。
【０００６】
本発明の目的は、被印刷用紙の円滑な導入及び印刷終了後の被印刷用紙の円滑な排出を確保しつつ、強固な構造により安定的に印刷装置を保持できる、給紙ガイド体を提供することにある。
【課題を解決するための手段】
【０００７】
上記目的を達成するために、本願発明は、長手方向を左右方向とし短手方向を上下方向及び前後方向として配置可能な略直方体形状の筐体；前記略直方体形状の前記筐体の上面に前記左右方向に沿って開口し、被印刷用紙を前記筐体の内部に導入する導入口；前記導入口から導入された前記被印刷用紙を搬送するローラ；前記ローラにより搬送される前記被印刷用紙に対し所望の印刷を行う印字ヘッド；前記略直方体形状の前記筐体の前方側側面に前記左右方向に沿って開口し、前記印字ヘッドによる印刷後の前記被印刷用紙を前記筐体の外部へと排出する排出口；を有する印刷装置に対し、装着可能な、給紙ガイド体であって、前記装着時において、前記略直方体形状の前記筐体の左右両端部を上方から覆うように保持する左・右保持部と、前記左・右保持部に接続して設けられ、受け入れた前記被印刷用紙の左・右両端部を案内しつつ前記導入口へと導く用紙ガイド部と、前記用紙ガイド部の後方において左右方向に延設され、前記左・右保持部を連結する後方連結部と、前記装着時において、前記左・右保持部の間に位置し、前記排出口を露出させる前方開口部と、前記前方開口部の下方において左右方向に延設され、前記左・右保持部を連結する前方連結部と、前記装着時において、前記前方連結部から後方側へ向かって突出して設けられ、前記略直方体形状の前記筐体の下面に対し下方から覆うようにして接する下保持部と、を有し、前記下保持部は、前記後方側へ向かって上下方向厚さ寸法が小さくなる先細り形状を備えており、当該給紙ガイド体が装着された状態の前記印刷装置が設置された状態では、前記装着時において、前記印刷装置の前端側に位置する厚肉の前記下保持部と、前記印刷装置の後端側に設けられたゴム足部とが、設置面に接触することを特徴とする。
【０００８】
本願発明の給紙ガイド体は、略直方体形状の筐体を備えた印刷装置に装着して設けられる。印刷装置への装着時には、左・右保持部が、略直方体形状の上記筐体の左右両端部を上方から覆うように保持する。このとき左・右保持部に接続して用紙ガイド部が設けられており、この用紙ガイド部は、受け入れた被印刷用紙を印刷装置の導入口へと導く。導入口から印刷装置の筐体内部に投入された被印刷用紙はローラで搬送されつつサーマルラインヘッドで所望の印刷が行われた後、排出口から筐体外へ排出される。このとき、本願発明の給紙ガイド体の左・右保持部の間には、前方開口部が設けられ、この前方開口部によって排出口が露出する。この結果、上記のように排出口から筐体外へと出現する印刷後の被印刷用紙の円滑な排出が確保される。
【０００９】
そして、本願発明の給紙ガイド体では、上記左・右保持部の後方側は後方連結部によって互いに連結され、上記左・右保持部の前方開口部の下方側は前方連結部によって互いに連結されるので、全体として比較的大きな剛性が確保される。そして、印刷装置の略直方体形状の筐体は、上記のように連結されている左・右保持部によって左右両端部の上部及び前部が覆われ、かつ下面の前方側部分は下保持部によって覆われる結果、全体として、左・右保持部、後方連結部、前方連結部、下保持部によって、左右、上下、前後から抱え込まれるように安定的に保持されることとなる。
【００１０】
以上のようにして、本願発明の給紙ガイド体は、略直方体形状の印刷装置の筐体をすっぽり覆う構造とは異なり、被印刷用紙の印刷装置への円滑な導入及び印刷終了後の被印刷用紙の円滑な排出を確保しつつ、比較的大きな剛性を備えた強固な構造によって安定的に印刷装置を保持することができる。
【発明の効果】
【００１１】
本発明によれば、被印刷用紙の円滑な導入及び印刷終了後の被印刷用紙の円滑な排出を確保しつつ、強固な構造により安定的に印刷装置を保持することができる。
【図面の簡単な説明】
【００１２】
【図１】本発明の一実施の形態の給紙ガイドが適用される、プリンタの外観構成を表す斜視図である。
【図２】プリンタの内部構造を表す図１中ＩＩ−ＩＩ断面による横断面図である。
【図３】プリンタの内部構造を表す、前方側斜め上方向から見た分解斜視図である。
【図４】ガイド部材、プラテンローラ、及びサーマルラインヘッドの相対位置関係を表す、図２の部分拡大図である。
【図５】本発明の一実施の形態の給紙ガイド体の、用紙ガイド部を開放させた使用状態の上面図、正面図、底面図、右側面図、正面図中のＡ−Ａ断面による横断面図（但しプリンタは取り外した状態）である。
【図６】プリンタに装着した給紙ガイド体の用紙ガイド部を開放した状態を前方側斜め方向から見た斜視図、用紙ガイド部を閉じた状態を前方側斜め方向から見た斜視図、及び、用紙ガイド部を開放した状態を後方側斜め方向から見た斜視図である。
【図７】給紙ガイド体の用紙ガイド部を開放した状態を前方側斜め方向から見た斜視図、及び、用紙ガイド部を閉じた状態を前方側斜め方向から見た斜視図である。
【図８】給紙ガイド体の押圧操作部周辺を斜め上方向から見た斜視図である。
【図９】給紙ガイド体の用紙ガイド部を開放した状態の後方開口部周辺を、後方側斜め上方向から見た斜視図である。
【発明を実施するための形態】
【００１３】
以下、本発明の一実施の形態を図面を参照しつつ説明する。
【００１４】
＜プリンタの全体構成概略＞
図１、図２、及び図３を用いて、本実施形態の給紙ガイド体が装着されるプリンタ１の全体構成を説明する。以下では、図１中の左下方向を前方、右上方向を後方、左上方向を左方、右下方向を右方、上方向を上方、下方向を下方として定義し、各図においてこれに対応した方向により説明する。
【００１５】
プリンタ１は、例えばＰＣ端末や携帯電話等の外部機器より、有線通信（あるいは無線通信）を介して受信した印刷データを被印刷用紙Ｓに印刷する。このプリンタ１は、充電式電池１０（図２参照）を電源として駆動可能であり、操作者が様々な場所に持ち運んで使用することができる。
【００１６】
プリンタ１は、例えば樹脂材料で構成され装置外郭を構成するハウジング１００（筐体）と、シャーシ組立体５０（図３参照）とが、組み付けられることによって、構成されている。
【００１７】
ハウジング１００は、トップカバー１０１と、アンダーカバー１０２と、（後述の排出口１０７を覆うように）トップカバー１０１の上面前方側に開閉可能に設けられたカバー部材１０３とを備えている。このハウジング１００は、全体として、上記左右方向を長手方向とし、上記上下方向及び前後方向を短手方向とする、略直方体形状を備えている。この結果、図３に示すように、トップカバー１０１及びカバー部材１０３それぞれのうち上部に露出する領域（以下適宜、単に「上部領域」という）１０１Ａ，１０３Ａが、各請求項記載の筐体１００の上面を構成する。また、アンダーカバー１０２、トップカバー１０１、カバー部材１０３それぞれのうちの前部に露出する領域（以下適宜、単に「前部領域」という）１０２Ａ，１０１Ｂ，１０３Ｂが、筐体１００の前方側側面を構成している。なお、カバー部材１０３の上方前方側に位置する、上部領域１０３Ａと前部領域１０３Ｂとの間には、それら上部領域１０３Ａと前部領域１０３Ｂとの境界部を面取りする態様で傾斜面部１０８が設けられている。
【００１８】
また、ハウジング１００の後方側には、略棒状の充電式電池１０を収容するバッテリ収納室１０５が設けられている（図２参照）。このバッテリ収納室１０５にはバッテリ室カバー１７０が着脱可能に設けられている（後述する図６（ｃ）も参照）。当該バッテリ室カバー１７０を取り外した状態では、上記バッテリ収納室１０５がハウジング１００の背面部分に開口する。
【００１９】
シャーシ組立体５０は、アンダーカバー１０２の内表面に設けられた、シャーシ組立体５０の底部を構成するメインシャーシ部材１５０と、このメインシャーシ部材１５０の長手方向両側端部より立設される一対のサイドシャーシ部材１３０Ｌ，１３０Ｒとを備えている。
【００２０】
＜ハウジング内部の構造＞
図２及び図３によりハウジング１００内部の構造について説明する。サイドシャーシ部材１３０Ｌ，１３０Ｒは、軸孔１３１にプラテンローラ１１１の左右方向両端部の軸部材１１１ａを挿通することにより、当該プラテンローラ１１１を筐体１００に対し回転可能に支持している。このとき、サーマルラインヘッド１１２（印字ヘッド）を備えた放熱板１１４の後方側端部において、長手方向の両端部から当該長手方向に突出するように軸部材１１３が設けられている。サイドシャーシ部材１３０Ｌ，１３０Ｒはまた上記軸部材１１３を、回動可能に支持している。この結果、サーマルラインヘッド１１２は、放熱板１１４の軸部材１１３を介し上記サイドシャーシ部材１３０Ｌ，１３０Ｒに対しそれぞれ回動可能に支持されるとともに、プラテンローラ１１１に対し上下方向に対向するように左右方向に沿って配置されている。
【００２１】
また、左側のサイドシャーシ部材１３０Ｌには、プラテンローラ１１１を駆動する駆動モータ１１と、この駆動モータ１１の駆動力をプラテンローラ１１１の上記軸部材１１１ａに伝達する、複数のギアからなるギア機構１３２とが設けられている。プラテンローラ１１１は、上記駆動力によって回転駆動され、被印刷用紙Ｓ（後述の図６参照）を搬送する。
【００２２】
また、サイドシャーシ部材１３０Ｌ，１３０Ｒの上部には、ビーム部材１４０が架け渡され固定されている。このビーム部材には、ガイド部材１２０（図１も参照）が固定されている。ガイド部材１２０は、図４に示すように、カバー部材１０３の上部領域のうち後端部に位置し左右方向に沿って開口した挿入口１０４（導入口）から挿入された被印刷用紙Ｓ（後述の図６も参照）を、プラテンローラ１１１とサーマルラインヘッド１１２との圧接部Ｐに案内する。すなわち、被印刷用紙Ｓの搬送経路は、上記挿入口１０４（図１も参照）から、上記ガイド部材１２０の傾斜面１２２、及び、プラテンローラ１１１とサーマルラインヘッド１１２との圧接部Ｐ、を経て、排出口１０７（図１も参照）に至る経路である。サーマルラインヘッド１１２は、プラテンローラ１１１により搬送される被印刷用紙Ｓに対し、所望の印刷を行う。排出口１０７は、上記のようにしてサーマルラインヘッド１１２によって所望の印刷がなされた被印刷用紙Ｓを筐体１００外へ排出する。この排出口１０７は、カバー部材１０３の上記前部領域１０３Ｂとアンダーカバー１０２の上記前部領域１０２Ａとの間に、左右方向に沿って開口するように形成されている。
【００２３】
トップカバー１０１の上部領域１０１Ａの左端部には、電源キー３０とフィードキー４０が前後に隣接して配されている。これら電源キー３０及びフィードキー４０が各請求項記載の操作キーを構成している。フィードキー４０が押し下げられると、上記駆動モータ１１が駆動してプラテンローラ１１１が回転し、被印刷用紙Ｓを所定量搬送するフィード処理が行われる。なお、このフィード処理は、例えば被印刷用紙Ｓの搬送方向途中位置から印刷を開始するために用紙送りをする場合や、搬送方向長さが所定の長さよりも長い被印刷用紙Ｓを用いた場合において印刷終了後に用紙を排出するような場合に、行われる。
【００２４】
また、図１、図３（後述する図５（ｄ）、図６（ｃ）も参照）に示すように、トップカバー１０１の前部領域１０１Ｂの片側側面には、例えばＰＣ端末や携帯電話等の外部機器より有線通信を行うためのＵＳＢケーブル接続用の前後一対のＵＳＢインターフェース７０，８０が設けられている。
【００２５】
＜給紙ガイド体の全体構造＞
上記の基本構成のプリンタ１に対し、本実施形態の給紙ガイド体が装着される。以下、その詳細構造を順を追って説明する。図５、図６、及び図７に示すように、給紙ガイド体２００は、上記略直方体形状のハウジング１００に対し、前方側から装着可能となっている。すなわち、給紙ガイド体２００は、プリンタ１への装着時において、略直方体形状のハウジング１００の左右両端部（トップカバー１０１の前部領域１０１Ｂの左右側面）を上方から覆うように保持する左・右保持部２０１ａ，２０１ｂと、左・右保持部２０１ａ，２０１ｂに接続して設けられ、受け入れた被印刷用紙Ｓの左・右両端部を案内しつつプリンタ１の挿入口１０４へと導く用紙ガイド部２０２と、トップカバー１０１の上部に露出する上部領域１０１Ａの一部を覆うよう上記用紙ガイド部２０２の後方において左右方向に延設され、上記左・右保持部２０１ａ，２０１ｂを連結する後方連結部２０３と、アンダーカバー１０２の前部に露出する前部領域１０２Ａを前方から覆うよう後述する前方開口部２０４の下方において左右方向に延設され、上記左・右保持部２０１ａ，２０１ｂを連結する前方連結部２０５と、前方連結部２０５から後方側へ向かって突出して設けられ、アンダーカバー１０２の下面に対し下方から覆うようにして接する下保持部２０６と、を備えている。
【００２６】
＜後方開口部、上方開口部、及び前方開口部＞
また、給紙ガイド体２００は、後部側に後方開口部２０８を有している。この後方開口部２０８により、バッテリ室カバー１７０の開閉が可能となっており、バッテリ室カバー１７０を開けることで上記バッテリ収納室１０５を外部へ臨ませることができる。
【００２７】
また、後方連結部２０３と前方連結部２０５との間には、上側に上方開口部２０７、前側に前方開口部２０４が、全体で略Ｌ字開口状となって連設されている。すなわち、上方開口部２０７は、前方開口部２０４の上部後方側に連続しており、上方開口部２０７及び前方開口部２０４は共に左・右保持部２０１ａ，２０１ｂの間に位置している。そして、プリンタ１に給紙ガイド体２００が装着され、かつ、図６（ａ）及び図６（ｃ）等のように用紙ガイド部２０２が開き状態にある状態では、上方開口部２０７にプリンタ１の挿入口１０４が露出し、前方開口部２０４にプリンタ１の排出口１０７が露出する。その際、上記プリンタ１への装着状態であっても、上方開口部２０７は、プリンタ１のハウジング１００の前方側上部に開閉可能に備えられた上記カバー部材１０３の当該開閉を可能としている。
【００２８】
＜下保持部＞
図５（ｃ）、図５（ｄ）、図５（ｅ）に示すように、下保持部２０６は、後方側へ向かって上下方向厚さ寸法が小さくなる先細り形状を備えている。そして、給紙ガイド体２００の装着状態でプリンタ１を設置するときに、前端側は厚肉の上記下保持部２０６が設置面に接触する（プリンタ１のハウジング１００の前端部にあるゴム足部６０Ａ，６０Ａは設置面に接触しない）。そしてこのとき、プリンタ１の後端側は、ハウジング１００の後端部にあるゴム足部６０Ｂ，６０Ｂが設置面に接触する。
【００２９】
＜押圧操作部＞
また、図８や前述の図７（ａ）及び図７（ｂ）等に示すように、左保持部２０１ａには、給紙ガイド体２００のプリンタ１への装着時においてハウジング１００の上部の上記電源キー３０及びフィードキー４０の上部にそれぞれ位置する、一対の押圧操作部２０９ａ，２０９ｂを備えている。これら押圧操作部２０９ａ，２０９ｂは、左保持部２０１ａの側面から上面にかけての略コ字状の長尺な切り込みによって形成され、その略コ字状の切り込み先端側の下方に、電源キー３０及びフィードキー４０が配置される。この結果、これら押圧操作部２０９ａ，２０９ｂは、押圧によりその周囲部よりも下方に弾性変形可能であり、給紙ガイド体２００がプリンタ１へ装着されたままの状態で操作者が押圧操作部２０９ａ，２０９ｂを押圧することによって当該電源キー３０及びフィードキー４０を押圧操作可能となっている。なお、上記電源キー３０及びフィードキー４０がハウジング１００の上部の右端側に設けられている場合には、上記一対の押圧操作部２０９ａ，２０９ｂもそれに対応して右保持部２０１ｂに設けられる。また電源キー３０及びフィードキー４０が左・右両端部に分かれて配置されている場合には、上記一対の押圧操作部２０９ａ，２０９ｂもそれに対応して左保持部２０１ａ及び右保持部２０１ｂに分かれて設けられる。
【００３０】
＜切り欠き部＞
また、図７（ａ）及び図７（ｂ）や、図５（ｄ）、図５（ｅ）等に示すように、右保持部２０１ｂには、後方開口部２０８側から側方に略Ｌ字状に切除された切欠部２０１ｃが形成されている。これにより、トップカバー１０１の前部領域１０１Ｂの片側側面に形成されている前後一対の上記ＵＳＢインターフェース７０，８０は、この切欠部２０１ｃによって露出している。
【００３１】
＜用紙ガイド部＞
用紙ガイド部２０２は、上方開口部２０７を開放する開き状態（図６（ａ）、図６（ｃ）、図７（ａ）等参照）と上方開口部２０７を閉鎖する閉じ状態（図６（ｂ）、図７（ｂ）等参照）との間で開閉するように、左・右保持部２０１ａ，２０１ｂに対し回動可能に支持されている。すなわち、後方連結部２０３側に位置する上記上方開口部２０７の左右対向縁部に、起立板状の軸受部３０５が形成されている。そして、この軸受部３０５に、用紙ガイド部２０２の一端側左右縁側に互いに外方へ突出した軸部３０４が支承されることで、用紙ガイド部２０２は、上記開き状態と上記閉じ状態との間を回動する。
【００３２】
また、用紙ガイド部２０２の内面（上方開口部２０７を開放した状態で斜め上向きとなる面）には、左右一対となって形成された横方向のスライド溝３０３と、このスライド溝３０３に沿って互いに連動してスライド可能な左右一対の幅調整用スライダ３０２Ｌ，３０２Ｒと、が設けられている。これら幅調整用スライダ３０２Ｌ，３０２Ｒの各外端側には、被印刷用紙Ｓの左・右両端部を保持するための左・右爪部３００Ｌ，３００Ｒが備えられている。すなわち、左・右爪部３００Ｌ，３００Ｒは、導入される被印刷用紙Ｓの左・右両端部の上方で左右方向の内側に向かって突出すると共にその突出形状の下方に当該被印刷用紙Ｓを挿通するための空間を形成する。
【００３３】
さらに、図９や図６（ａ）及び図７（ａ）等に示すように、用紙ガイド部２０２の開放先端側における内面両端側には、外向きＬ字状のフック部３０１が形成されている。そして、用紙ガイド部２０２を閉じて上方開口部２０７が閉鎖された状態では、フック部３０１が上方開口部２０７の内縁部に係架され、一時的なロックが可能となる。また、用紙ガイド部２０２を開ける場合には、この開放先端側を強制的に引き上げることで、左右のフック部３０１は互いに内側に撓んでその係止が外れ、用紙ガイド部２０２は上記開放位置に回動される。
【００３４】
＜本実施形態の作用効果＞
以上のように構成した本実施形態においては、給紙ガイド体２００が、プリンタ１の略直方体形状のハウジング１００に装着される。装着時には、左・右保持部２０１ａ，２０１ｂが、略直方体形状のハウジング１００の左右両端部を上方から覆うように保持する。このとき左・右保持部２０１ａ，２０１ｂに接続して設けられた用紙ガイド部２０２が、受け入れた被印刷用紙Ｓをプリンタ１の挿入口１０４へと導く。挿入口１０４からプリンタ１のハウジング１００内部に投入された被印刷用紙Ｓはプラテンローラ１１１で搬送されつつサーマルラインヘッド１１２で所望の印刷が行われた後、排出口１０７からハウジング１００外へ排出される。このとき、給紙ガイド体２００の左・右保持部２０１ａ，２０１ｂの間に設けられた前方開口部２０４によって排出口１０７が露出しているので、上記のように排出口１０７からハウジング１００外へと出現する印刷後の被印刷用紙Ｓの円滑な排出が確保される。
【００３５】
一方、本実施形態の給紙ガイド体２００では、上記左・右保持部２０１ａ，２０１ｂの後方側は後方連結部２０３によって互いに連結され、上記左・右保持部２０１ａ，２０１ｂの前方開口部２０４の下方側は前方連結部２０５によって互いに連結される。これにより、給紙ガイド体２００全体として比較的大きな剛性が確保される。そして、プリンタ１の略直方体形状のハウジング１００は、上記のように連結されている左・右保持部２０１ａ，２０１ｂによって左右両端部の上部及び前部が覆われ、かつ下面の前方側部分は下保持部２０６によって覆われる。この結果、プリンタ１は、全体として、左・右保持部２０１ａ，２０１ｂ、後方連結部２０３、前方連結部２０５、下保持部２０６によって、左右、上下、前後から抱え込まれるように安定的に保持される。
【００３６】
以上のようにして、本実施形態の給紙ガイド体２００は、略直方体形状のプリンタ１のハウジング１００をすっぽり覆う構造とは異なり、被印刷用紙Ｓのプリンタ１への円滑な導入及び印刷終了後の被印刷用紙Ｓの円滑な排出を確保しつつ、比較的大きな剛性を備えた強固な構造によって安定的にプリンタ１を保持することができる。
【００３７】
また、本実施形態においては特に、用紙ガイド部２０２が開閉可能に左・右保持部２０１ａ，２０１ｂに対し支持されている。これにより、給紙ガイド体２００をプリンタ１へ装着した後に用紙ガイド部２０２を開き状態とすることで前方開口部２０４及び上方開口部２０７を大きく開口させ（図６（ａ）参照）、排出口１０７からの印刷済みの被印刷用紙Ｓの円滑な排出を確保することができる。また、開き状態として印刷している途中に何らかの理由で被印刷用紙Ｓの紙詰まり等が生じた場合でも、上方開口部２０７を用いてカバー部材１０３を容易に開くことができるので、当該紙詰まり等を確実に解消することができる。
【００３８】
また、本実施形態においては特に、給紙ガイド体２００の後方側に後方開口部２０８が備えられている。これにより、給紙ガイド体２００を装着した状態のまま、後方開口部２０８を介し、バッテリ収納室１０５の後方からバッテリ交換を行うことができる。また後方側を露出させる構造であることから、操作者が給紙ガイド体２００を装着した状態のプリンタ１全体を手で把持するときには、給紙ガイド体２００のみを把持するのではなく、必ず、後方開口部２０８から露出しているプリンタ１のハウジング１００も併せて把持することとなる。この結果、給紙ガイド体２００のみを操作者が把持する場合に起こりうる、給紙ガイド体２００からハウジング１００が外れることによるプリンタ１の落下事故を確実に防止することができる。
【００３９】
また、本実施形態においては特に、下保持部２０６が前述の先細り形状となっている。これにより、給紙ガイド体２００を装着した状態でプリンタ１を設置するときに、前端側は厚肉の上記下保持部２０６が設置面に接触すると共に、後端側はプリンタ１のハウジング１００に設けたゴム足部６０Ｂ，６０Ｂが設置面に接触する。この結果、給紙ガイド体２００を装着したプリンタ１全体として前端側から後端側へとやや傾斜した設置態様とすることができ、設置時における安定性の向上及び滑りの発生防止等を図ることができる。
【００４０】
また、本実施形態においては特に、給紙ガイド体２００に、電源キー３０及びフィードキー４０を押圧操作可能な一対の押圧操作部２０９ａ，２０９ｂを備えている。これにより、電源キー３０及びフィードキー４０の上部に開口部を設ける場合のような給紙ガイド体２００の剛性低下を防止しつつ、電源キー３０及びフィードキー４０の良好な操作性を確保することができる。
【００４１】
また、本実施形態においては特に、用紙ガイド部２０２に左・右爪部３００を備えている。これにより、用紙ガイド部２０２の被印刷用紙Ｓの搬送方向の寸法が比較的短い場合であっても、挿入口１０４への導入時における被印刷用紙Ｓの曲がりを確実に防止し、良好な直進搬送性を確保することができる。
【００４２】
なお、以上においては、給紙ガイド体２００を、上記略直方体形状のハウジング１００に対し、前方側から装着した場合を例にとって説明したが、本発明はこれに限られない。すなわち、左・右保持部２０１ａ，２０１ｂ、用紙ガイド部２０２、後方連結部２０３、前方開口部２０４、前方連結部２０５、及び下保持部２０６、を有する構成の給紙ガイド体であれば、ハウジング１００に対し、後方側、又は側方側、若しくは上方側等、装着可能な前方側以外の適宜の方向から装着するようにしてもよい。この場合も、上記同様の効果を得る。
【００４３】
また、以上既に述べた以外にも、上記実施形態や各変形例による手法を適宜組み合わせて利用しても良い。
【００４４】
その他、一々例示はしないが、本発明は、その趣旨を逸脱しない範囲内において、種々の変更が加えられて実施されるものである。
【符号の説明】
【００４５】
１                プリンタ（印刷装置）
１００            ハウジング（筐体）
１０４            挿入口（導入口）
１０７            排出口
１１１            プラテンローラ
１１２            サーマルラインヘッド（印字ヘッド）
２００            給紙ガイド体
２０１ａ          左保持部
２０１ｂ          右保持部
２０２            用紙ガイド部
２０３            後方連結部
２０４            前方開口部
２０５            前方連結部
２０６            下保持部
２０７            上方開口部
２０８            後方開口部
２０９ａ，ｂ      押圧操作部
３００Ｌ          左爪部
３００Ｒ          右爪部
Ｓ                被印刷用紙
【図１】
0005979575.tif 000002
【図２】
0005979575.tif 000003
【図３】
0005979575.tif 000004
【図４】
0005979575.tif 000005
【図５】
0005979575.tif 000006
【図６】
0005979575.tif 000007
【図７】
0005979575.tif 000008
【図８】
0005979575.tif 000009
【図９】
0005979575.tif 000010